(57)【要約】      （修正有）【課題】内部に砂利等の異物が入り難く、又はこれを外部に容易に排出できる構造のプッシュリベットの提供。【解決手段】リベット本体のフランジ部１１１は、中央にピン２１を圧入する挿通孔１１８が成形されている。第１分割脚部は、フランジ部の基部から上方に向かって一体に突設され、第２分割脚部は、フランジ部の基部から上方に向かって、一対の第１分割脚部の間にスリットを形成するように一体に突設されている。第１分割脚部および第２分割脚部は、上端部において、内部方向に突設され、先端に向かうに従って内方に傾斜するテーパー面を有する膨出部１１４が成形されている。膨出部は、ピンの凹溝と係合し、分割脚部を拡径することにより、被取付部材を固定することができる。ピンは、頭部と、軸部２１２等から構成されている。軸部は、頭部の基部から上方に向かって一体に突設され、内部の横方向に貫通する空洞２１４が設けられている。【選択図】図５
2011033104.tif 000002
【特許請求の範囲】
【請求項１】
被取付部材を固定する際に、内部に侵入した異物を排出し易い形状に成形したプッシュリベットにおいて；
挿通孔が設けられているフランジ部と、
前記フランジ部から上方に向かって突設されている一対の第１分割脚部と、
前記フランジ部から上方に向かって、前記一対の第１分割脚部の間にスリットを形成するように突設されている少なくとも一対の第２分割脚部と、
前記第１分割脚部および前記第２分割脚部における上端部の内部方向に突設され、先端に向かうに従って内方に傾斜するテーパー面を有する膨出部と、
から少なくとも構成されているリベット本体と；
前記フランジ部に嵌合する頭部と、
前記頭部から上方に向かって突設されているとともに、内部に空洞が設けられている軸部と、
前記軸部の側部に成形され、前記第１分割脚部および第２分割脚部が前記スリットにスライド嵌合するとともに、前記第２分割脚部の膨出部に係合することにより第２分割脚部を拡径する凹溝と、
から少なくとも構成されているピンと；
を有することを特徴とするプッシュリベット。
【請求項２】
前記第１分割脚部は、互いに対向して配置され、それぞれが延出して一体に連結されていることを特徴とする請求項１に記載されたプッシュリベット。
【請求項３】
被取付部材を固定する際に、内部に侵入した異物を排出し易い形状に成形したプッシュリベットにおいて；
挿通孔が設けられているフランジ部と、
前記フランジ部から上方に向かって突設されている一対の第１分割脚部と、
前記フランジ部から上方に向かって、前記一対の第１分割脚部の間にスリットを形成するように突設されており、かつ、上端に向かうに従って幅広となるように成形されている少なくとも一対の第２分割脚部と、
前記第１分割脚部および前記第２分割脚部における上端部の内部方向に突設され、先端に向かうに従って内方に傾斜するテーパー面を有する膨出部と、
から少なくとも構成されているリベット本体と；
前記フランジ部に嵌合する頭部と、
前記頭部から上方に向かって突設されているとともに、内部に空洞が設けられている軸部と、
前記軸部の側部に成形され、前記第１分割脚部および第２分割脚部が前記スリットにスライド嵌合するとともに、前記第２分割脚部の膨出部に係合することにより第２分割脚部を拡径する凹溝と、
から少なくとも構成されているピンと；
を有することを特徴とするプッシュリベット。
【請求項４】
前記第１分割脚部は、互いに対向して配置され、それぞれが延出して一体に連結されていることを特徴とする請求項３に記載されたプッシュリベット。
【発明の詳細な説明】
【技術分野】
【０００１】
本発明は、内部に砂利等の異物が入り難く、たとえ、前記異物が入った場合であっても、これを外部に容易に排出できる構造のプッシュリベットに関するものである。本発明は、二つの被取付部材に設けられた挿通孔に、リベット本体を嵌挿し、その後、前記リベット本体の孔にピンを圧入することにより、前記リベット本体の脚部を拡径して、前記被取付部材を取り付けることができるプッシュリベットに関するものである。
【背景技術】
【０００２】
図６は被取付部材に従来のプッシュリベットを取り付けた状態を説明するための図である。従来のプッシュリベットは、たとえば、特開平５−３０２６０９号公報に記載されているタイプのものがある。図６において、前記プッシュリベット４１は、雌部材４２と、雄部材４３とから少なくとも構成されている。前記雌部材４２は、パネル４５、４６に形成された取付孔４７に挿入する連結脚部４１２と、前記連結脚部４１２の内部に突設されたテーパー面を有する係止突起４１４とから構成されている。前記雄部材４３は、前記連結脚部４１２に成形されているピン進入孔４７に圧入する軸部４２２と、前記軸部４２２に成形され、前記連結脚部４１２の内側に成形された係止突起４１４が係止する凹部４２３とから構成されている。
【０００３】
前記プッシュリベット４１は、前記連結脚部４１２をパネル４５、４６に形成された取付孔４７に挿入した後、ピンの軸部４３を前記連結脚部４１２の内部に圧入する。前記連結脚部４１２は、前記テーパー面を有する係止突起４１４が前記連結脚部４１２を外方に拡径することにより、前記パネル４５、４６に結合される。
【先行技術文献】
【特許文献】
【０００４】
【特許文献１】特開平５−３０２６０９号公報
【発明の概要】
【発明が解決しようとする課題】
【０００５】
図６に記載されたプッシュリベット４１は、雌部材４２に雄部材４３を圧入して、パネル４５、４６に取り付けた後、前記雌部材４２と雄部材４３の嵌合を解除したい場合、砂利等の異物が付着していると、解除が容易にできないという問題があった。また、前記プッシュリベット４１は、フェンダー、タイヤハウス、パンパー等の場所で使用する場合、下方から上方に向けて取り付けられる。前記場所で使用されるプッシュリベット４１は、風雨に晒される場合が多く、砂利、泥、水分等がモルタル状態になり、乾燥して付着、あるいは隙間に入り込む。前記状態のプッシュリベットは、雌部材から雄部材を抜去することができなくなるという問題があった。
【０００６】
以上のような課題を解決するために、本発明は、雌部材から雄部材を抜去する際に、付着している砂利等の異物が剥離し易い形状のプッシュリベットを提供することを目的とする。また、本発明は、雄部材に入った砂利等の異物が排出し易く、雌部材の連結脚部から雄部材を抜く際に、前記異物が剥離し易い構造にしたプッシュリベットを提供することを目的とする。
【課題を解決するための手段】
【０００７】
（第１発明）
第１発明のプッシュリベットは、被取付部材を固定する際に、内部に侵入した異物を排出し易い形状に成形したものであり；
挿通孔が設けられているフランジ部と、前記フランジ部から上方に向かって突設されている一対の第１分割脚部と、前記フランジ部から上方に向かって、前記一対の第１分割脚部の間にスリットを形成するように突設されている少なくとも一対の第２分割脚部と、前記第１分割脚部および前記第２分割脚部における上端部の内部方向に突設され、先端に向かうに従って内方に傾斜するテーパー面を有する膨出部とから少なくとも構成されているリベット本体と；
前記フランジ部に嵌合する頭部と、前記頭部から上方に向かって突設されているとともに、内部に空洞が設けられている軸部と、前記軸部の側部に成形され、前記第１分割脚部および第２分割脚部が前記スリットにスライド嵌合するとともに、前記第２分割脚部の膨出部に係合することにより第２分割脚部を拡径する凹溝とから少なくとも構成されているピンと；
を有することを特徴とする。
【０００８】
（第２発明）
第２発明のプッシュリベットにおいて、前記第１分割脚部は、互いに対向して配置され、それぞれが延出して一体に連結されていることを特徴とする。
【０００９】
（第３発明）
第３発明のプッシュリベットは、被取付部材を固定する際に、内部に侵入した異物を排出し易い形状に成形したものであり；
挿通孔が設けられているフランジ部と、前記フランジ部から上方に向かって突設されている一対の第１分割脚部と、前記フランジ部から上方に向かって、前記一対の第１分割脚部の間にスリットを形成するように突設されており、かつ、上端に向かうに従って幅広となるように成形されている少なくとも一対の第２分割脚部と、前記第１分割脚部および前記第２分割脚部における上端部の内部方向に突設され、先端に向かうに従って内方に傾斜するテーパー面を有する膨出部とから少なくとも構成されているリベット本体と；
前記フランジ部に嵌合する頭部と、前記頭部から上方に向かって突設されているとともに、内部に空洞が設けられている軸部と、前記軸部の側部に成形され、前記第１分割脚部および第２分割脚部が前記スリットにスライド嵌合するとともに、前記第２分割脚部の膨出部に係合することにより第２分割脚部を拡径する凹溝とから少なくとも構成されているピンと；
を有することを特徴とする。
【００１０】
（第４発明）
第４発明のプッシュリベットにおいて、前記第１分割脚部は、互いに対向して配置され、それぞれが延出して一体に連結されていることを特徴とする。
【発明の効果】
【００１１】
本発明によれば、連結脚部および分割脚部は、先端に向かうに従って内方に傾斜するテーパー面を有する膨出部がそれぞれに成形されているため、ピンの凹溝と係合し、前記分割脚部を拡径することにより、被取付部材の取付孔に容易に固定される。
【００１２】
本発明によれば、軸部は、内部の横方向に貫通する空洞部が設けられているため、砂利等の異物が前記空洞部の内部に入り、リベット本体の内部に入り難く、前記軸部を抜去する際にも、容易に抜去が可能で、かつ、前記空洞部から前記異物等を排出し易い構造になっている。
【００１３】
本発明によれば、プッシュリベットは、分割脚部の形状が上端に向かうに従って幅広となるように成形されているため、ピンを下方に抜く際に、リベット本体とピンとの間が徐々に広くなり、砂利等が剥がれ易く、かつ、抜け易い構造になっている。
【００１４】
本発明によれば、連結脚部は、互いに対向して配置され、それぞれが延出して、先端上部において、一体に連結された構成になっているため、プッシュリベットにおけるリベット本体とピンとを結合させる際の弾性による結合強度を所望の固さに設計することが容易にできる。
【図面の簡単な説明】
【００１５】
【図１】（イ）および（ロ）は本発明の実施例であり、被取付部材の取付孔に嵌合するリベット本体の構造を説明するための異なる方向から見た一部断面図である。（実施例１）
【図２】（イ）および（ロ）は本発明の実施例であり、被取付部材の取付孔に嵌合するリベット本体の構造を説明するための斜視図である。（実施例１）
【図３】（イ）および（ロ）は本発明の実施例であり、ピンの構造を説明するための異なる方向から見た図である。（実施例１）
【図４】（イ）本発明の実施例であり、ピンの構造を説明するための上面図、（ロ）は斜視図である。（実施例１）
【図５】本発明の実施例であるリベット本体とピンをパネルに圧入した状態を説明するための図である。
【図６】被取付部材に従来のプッシュリベットを取り付けた状態を説明するための図である。
【発明を実施するための最良の形態】
【００１６】
（第１発明）
本発明は、たとえば、フェンダー、タイヤハウス、バンパー等風雨、あるいは泥や埃等に曝される場所に使用する取り付け具であり、被取付部材に対して、上方に向かって固定するプッシュリベットに関するものである。また、本発明のプッシュリベットは、上下反対に使用することも可能である。特に、本発明のプッシュリベットは、砂利等の異物がプッシュリベットの内部に入った場合、解体する際に、内部に侵入していた異物を排出し易い形状にしたものである。
【００１７】
本発明のプッシュリベットは、リベット本体と、前記リベット本体に圧入するピンとから構成されており、リベット本体を重ねられた被取付部材の開孔部に挿入した後、ピンを前記リベット本体の孔に圧入することで、前記二つの被取付部材が固定される。前記リベット本体は、フランジ部と、第１分割脚部と、第２分割脚部と、膨出部とから少なくとも構成されている。また、前記ピンは、頭部と、軸部と、凹溝とから少なくとも構成されている。
【００１８】
前記リベット本体のフランジ部は、フランジの中央部に前記ピンを圧入する挿通孔が成形されている。前記第１分割脚部は、前記フランジ部の基部から上方に向かって一体に突設されている。また、前記第１分割脚部は、少なくとも一対からなり、ピンとの係合に際するバネ性を考慮して長さ、幅、厚さ等が決められている。第２分割脚部は、前記フランジ部の基部から上方に向かって、前記一対の第１分割脚部の間にスリットを形成するように一体に突設されている。また、前記第２分割脚部は、前記第１分割脚部の間に複数対を一体に設けることができる。
【００１９】
前記第１分割脚部および前記第２分割脚部は、上端部において、内部方向に突設され、先端に向かうに従って内方に傾斜するテーパー面を有する膨出部がそれぞれ成形されている。前記膨出部は、後述するピンの凹溝と係合し、前記分割脚部を拡径することにより、被取付部材を固定することができる。
【００２０】
前記ピンは、頭部と、軸部と、凹溝と、空洞とから少なくとも構成されている。前記頭部は、前記リベット本体のフランジに設けられた挿通孔に嵌合して固定される形状をしている。前記軸部は、前記頭部の基部から上方に向かって一体に突設されているとともに、内部の横方向に貫通する空洞が少なくとも一つ設けられている。砂利等の異物は、前記空洞の内部に入っても、前記ピンの奥に入り難く、前記ピンを解除する際の抜去が容易にできる構造になっている。
【００２１】
また、前記軸部は、断面がほぼ方形に成形され、その角部が前記第１分割脚部および第２分割脚部によって成形される前記スリットにスライド嵌合するとともに、前記角部によって凹溝が成形されている。前記軸部は、前記リベット本体に圧入され、前記スリットと、前記第１分割脚部および第２分割脚部に沿って移動し、前記第１分割脚部および／または前記第２分割脚部の膨出部に係合しながら、前記第１分割脚部および／または前記第２分割脚部を拡径する。前記軸部は、段部を設けることができ、たとえば、第１分割脚部における膨出部が乗り越えた後に受け入れる。
【００２２】
前記軸部は、側部に凹溝が設けられているため、断面形状が方形から構成されることが望ましい。また、凹溝を構成する４つの角部は、前記第１分割脚部および第２分割脚部の間によって形成されるスリットをガイドにして圧入および抜去することができる。
【００２３】
（第３発明）
第３発明のプッシュリベットは、第２分割脚部の形状が上端に向かうに従って幅広となるように成形されている点でのみ異なっている。前記形状の第２分割脚部は、前記ピンを下方に抜く際に、徐々に幅が狭くなるため、スリットの隙間が徐々に大きくなり、砂利等が剥がれ易く、かつ、抜け易くなる。
【００２４】
（第２発明および４発明）
第２発明および第４発明における第１分割脚部は、互いに対向して配置され、それぞれが延出して、先端上部において、一体に連結されている。前記一対の第１分割脚部は、先端上部近傍で漸次内方に傾斜した後、互いに連結され、一体に構成される。前記第１分割脚部は、前記結合部の形状、厚さ、幅等を変えることにより、プッシュリベットにおけるリベット本体とピンとを結合させる際の弾性強度を所望の固さに決めることができる。
【実施例１】
【００２５】
本発明は、第１実施例であるプッシュリベットを図１から図５にしたがって説明する。本発明のプッシュリベットは、たとえば、フェンダー、タイヤハウス、バンパー等風雨、あるいは泥や埃等に曝される場所に使用する取り付け具であり、被取付部材に対して、上方に向かって固定するものである。また、本発明のプッシュリベットは、図１から図５に示す方向と上下反対に使用することも可能である。特に、本発明のプッシュリベットは、砂利等の異物がプッシュリベットの内部に入った場合、解体する際に、内部に侵入していた異物を排出し易い形状にしたものである。
【００２６】
本発明のプッシュリベットは、リベット本体（図１および図２参照）と、前記リベット本体に圧入するピン（図３および図４参照）とから構成されている。前記リベット本体は、重ねられた被取付部材の開孔部に嵌挿した後、ピンを前記リベット本体の孔に圧入することで、前記二つの被取付部材が固定される（図５参照）。
【００２７】
図１（イ）および（ロ）は本発明の実施例であり、被取付部材の取付孔に嵌合するリベット本体の構造を説明するための異なる方向から見た一部断面図である。図２（イ）および（ロ）は本発明の実施例であり、被取付部材の取付孔に嵌合するリベット本体の構造を説明するための斜視図である。図１および図２において、前記リベット本体１１は、フランジ部１１１と、連結脚部１１２と、分割脚部１１３、１１３′と、それぞれの内部に設けられた膨出部１１４とから少なくとも構成されている。前記膨出部１１４は、符号１１４−１、１１４−２、１１４−３、１１４−４がほぼ同じ位置に成形されている。
【００２８】
前記リベット本体１１のフランジ部１１１は、フランジの中央部に前記ピン（図３、図４符号２１参照）を圧入する挿通孔１１８が成形されている。前記連結脚部１１２は、前記フランジ部１１１の基部から上方に向かって一体に突設されている。また、前記連結脚部１１２は、一対の分割脚部とすることもできるが、図１および図２では、上部において連結されている。前記連結脚部１１２は、前記連結部の上部において、連結突部１１２′が設けられており、前記ピン２１と係合する際のバネ性を考慮してこれらの長さ、幅、厚さ、膨らみ等が決められている。
【００２９】
前記分割脚部１１３、１１３′は、前記フランジ部１１１の基部から上方に向かって、前記一対の連結脚部１１２の間にスリット１１６、１１６′を形成するように一体に突設されている。また、前記分割脚部１１３、１１３′は、図において、一対であるが、前記連結脚部１１２の間に複数対を一体に設けることができる。また、前記分割脚部１１３、１１３′は、ほぼ頂部において、前記連結脚部１１２の膨出部１１４が同じ位置になるように設けられている。
【００３０】
前記連結脚部１１２および前記分割脚部１１３、１１３′は、上端部において、内部方向に突設され、先端に向かうに従って内方に傾斜するテーパー面１１５を有する膨出部１１４が成形されている。前記膨出部１１４は、後述するピン２１の凹溝と係合し、前記連結脚部１１２を拡径することにより、被取付部材を固定することができる。前記膨出部１１４は、図において、符号１１４−１、１１４−２、１１４−３、１１４−４として示されている。
【００３１】
図３（イ）および（ロ）は本発明の実施例であり、ピンの構造を説明するための異なる方向から見た図である。図４（イ）本発明の実施例であり、ピンの構造を説明するための上面図、（ロ）は斜視図である。図３および図４において、ピン２１は、頭部２１１と、軸部２１２と、凹溝２１５、２１５′と、空洞部２１４、２１４′とから少なくとも構成されている。前記頭部２１１は、前記リベット本体１１のフランジ１１１に設けられた挿通孔１１８に嵌合して固定される形状をしている。
【００３２】
前記軸部２１２は、前記頭部２１１の基部から上方に向かって一体に突設されているとともに、内部の横方向に貫通する空洞部２１４、２１４′が設けられている。砂利等の異物は、前記空洞部２１４、２１４′の内部に入っても、さらに、ピン２１の奥部に入らず、また、前記ピン２１を解除した場合に、前記空洞部２１４、２１４′の近傍に付着した異物等が剥がれ易く、前記空洞部２１４、２１４′から排出し易い構造になっている。
【００３３】
また、前記軸部２１は、断面がほぼ方形に成形され、その角部２１３−１、２１３−２、２１３−３、２１３−４が前記連結脚部１１２および分割脚部１１３、１１３′によって成形される前記スリット１１６にスライド嵌合するとともに、前記角部２１３−１、２１３−２、２１３−３、２１３−４の間に凹溝２１５、２１５′が成形されている。
【００３４】
前記軸部２１は、前記リベット本体１１に圧入され、前記スリット１１６と、前記連結脚部１１２および分割脚部１１３、１１３′に沿って移動し、前記連結脚部１１２および／または前記分割脚部１１３、１１３′の膨出部１１４に係合しながら、前記連結脚部１１２を拡径する。前記軸部２１は、凹溝２１５′に凸起部２１６を設け、その上部に段差部２１７′を設ける。前記段差部２１７′は、連結脚部１１２における膨出部１１４が乗り越えた後に受け入れる場所となり、前記リベット本体１１から分離ができないようにする。前記リベット本体１１とピン２１との抜去は、前記段差部２１７′をの乗り越えるだけの外力を与えることにより達成できる。
【００３５】
前記軸部２１は、側部に凹溝２１５、２１５′、凸起部２１６が設けられているため、断面形状が方形から構成されることが望ましい。また、凹溝２１５、２１５′、凸起部２１６、段差部２１７′等を構成する４つの角部は、前記連結脚部１１２および分割脚部１１３、１１３′によって形成されるスリット１１６、１１６′をガイドにして圧入および抜去することができる。
【００３６】
前記リベット本体１１とピン２１の構造および形状は、砂利等の異物の付き具合、あるいは前記ピン２１をリベット本体１１から解除する際の前記異物等の剥がれ具合を試行錯誤によって得られたものである。
【００３７】
図５は本発明の実施例であるリベット本体とピンをパネルに圧入した状態を説明するための図である。図５において、パネル３１、３２は、貫通孔３３が設けられている。前記リベット本体１１は、前記貫通孔３３に嵌挿された後、ピン２１が圧入される。前記ピン２１の圧入は、連結脚部１１２を拡径させ、パネル３１、３２を取り付けることができる。
【実施例２】
【００３８】
第２実施例のプッシュリベットは、分割脚部１１３、１１３′の形状が上端に向かうに従って幅広となるテーパー面１１９（図１（ロ）の符号１１９参照）が成形されている。前記形状の分割脚部１１３、１１３′は、前記ピン２１を下方に抜く際に、下方に行くにしたがい、徐々に幅が狭くなるため、スリット１１６、１１６′との隙間が徐々に大きくなり、砂利等が剥がれ易く、かつ、抜け易くなる。また、前記連結脚部１１２の形状は、前記分割脚部１１３、１１３′と同じ形状にして、砂利等が剥がれ易くすることもできる。
【実施例３】
【００３９】
第３実施例における連結脚部は、図示されていないが、互いに対向して配置され、それぞれが延出して、先端上部において、一体に連結されていない分割脚部とすることができる。すなわち、リベット本体の脚部は、長さの異なるまたは同じ、たとえば、２対からなる分割脚部から構成される。前記分割脚部の前記形状は、プッシュリベットにおけるリベット本体とピンとを結合させる際の弾性強度を所望の固さに決めることができる。
【００４０】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明のプッシュリベットは、特許請求の範囲に記載された事項を逸脱しない限り、リベット本体、ピンの形状および材質が変更できることはいうまでもない。
【符号の説明】
【００４１】
１１・・・リベット本体
１１１・・・フランジ
１１２・・・連結脚部
１１２′・・・連結突部
１１３・・・分割脚部
１１４・・・膨出部
１１５・・・テーパー面
１１６・・・スリット
１１８・・・挿通孔
１１９・・・テーパー
２１・・・ピン
２１１・・・頭部
２１２・・・軸部
２１３・・・スリット嵌入突部
２１４・・・空洞部
２１５・・・凹溝
２１６・・・凸起部
２１７・・・段差部
【図１】
2011033104.tif 000003
【図２】
2011033104.tif 000004
【図３】
2011033104.tif 000005
【図４】
2011033104.tif 000006
【図５】
2011033104.tif 000007
【図６】
2011033104.tif 000008